(57)【特許請求の範囲】
【請求項１】
第１の周波数（Ｆ１）を有する第１の信号（Ｓ１）を生成するためのデバイスにおいて：
第１の２次の係数（β1）を伴い、温度（Ｔ）の関数として少なくとも実質的に放物線状に変化し、第１の反転温度（Ｔ01）において第１の最大値（Ｆ２0）を有し、かつ基準温度（Ｔr）において第１の決められた値（Ｆ２r）を有する、第２の周波数（Ｆ２）を有する第２の信号（Ｓ２）を生成するための第１のジェネレータ手段（２）；
前記第１の２次の係数（β1）と異なる第２の２次の係数（β2）を伴い、温度（Ｔ）の関数として少なくとも実質的に放物線状に変化し、少なくとも実質的に前記第１の反転温度（Ｔ01）に等しい第２の反転温度（Ｔ02）において第２の最大値（Ｆ３0）を有し、かつ前記基準温度（Ｔr）において第２の決められた値（Ｆ３r）を有する、第３の周波数（Ｆ３）を有する第３の信号（Ｓ３）を生成するための第２のジェネレータ手段（３）；および、  前記第３の周波数（Ｆ３）と前記第２の周波数（Ｆ２）の差に等しい第４の周波数（Ｆ４）を有する第４の信号（Ｓ４）を生成するためのミキサ手段（４）；を備え、
前記第１のジェネレータ手段（２）および前記第２のジェネレータ手段（３）が、前記第１の２次の係数（β1）と前記第２の２次の係数（β2）の間の比が前記第２の決められた値（Ｆ３r）と前記第１の決められた値（Ｆ２r）の間の比に少なくとも実質的に等しくなり、かつ前記第４の周波数（Ｆ４）が前記第１の周波数（Ｆ１）に対して、１より大きいかそれに等しい整数を乗じた積に等しくなるように構成され、
前記第２の決められた値（Ｆ３r）と前記第１の決められた値（Ｆ２r）の間の比が、実質的に整数に等しいことを特徴とするデバイス。
【請求項２】
前記デバイスがさらに、前記第４の信号（Ｓ４）から前記第１の信号（Ｓ１）を導出する、前記ミキサ回路（４）の出力に接続される分周回路（７）を含むことを特徴とする請求項１記載のデバイス。
【請求項３】
前記第１のジェネレータ手段（２）が、曲げモードで振動するように構成された第１の水晶共振器（５）を有し、前記第２のジェネレータ手段（３）がねじれモードで振動するように構成された第２の水晶共振器（６）を有することを特徴とする前記請求項１又は２に記載したデバイス。
【発明の詳細な説明】
【０００１】
（技術分野）
本発明は、第１の周波数を有する第１の信号を生成するためのデバイスに関し、当該デバイスは：
‐  第１の２次の係数を伴い、温度の関数として少なくとも実質的に放物線状に変化し、第１の反転温度において第１の最大値を有し、かつ基準温度において第１の決められた値を有する、第２の周波数を有する第２の信号を生成するための第１のジェネレータ手段；
‐  前記第１の放物線の係数と異なる第２の２次の係数を伴い、温度の関数として少なくとも実質的に放物線状に変化し、第２の反転温度において第２の最大値を有し、かつ前記基準温度において第２の決められた値を有する、第３の周波数を有する第３の信号を生成するための第２のジェネレータ手段；および、
‐  前記第２の周波数と前記第３の周波数の差に等しい第４の周波数を有する第４の信号を生成するためのミキシング手段；を備えている。
【０００２】
（背景技術）
この種のデバイスは、たとえばスイス特許第ＣＨ  ６２６  ５００号およびＣＨ  ６３１  ３１５号に開示されている。
【０００３】
これらの文献に開示されている２つのデバイスは、ミキシング回路によって提供された信号に応答して、周波数がミキシング信号に依存し、したがって温度に依存する矯正パルスを生成するジェネレータ回路を含んでいる。これら２つのデバイスの出力信号は、２つの発振器回路の一方によって提供される信号に、その周波数を分周した後にこれらの矯正パルスを加算することによって獲得される。
【０００４】
この構成の結果として、これらのデバイスによって提供される出力信号の周波数は、きわめて長い期間にわたって測定すれば、実質的に温度に依存しなくなる。しかしながら、この構成の結果として、矯正パルスが現れるごとに、出力信号の周波数が急峻な変化を呈することにもなる。言い換えると、この出力信号の周波数スペクトルは、かなりの幅にわたる非常に多くのラインを有し、それらのラインのポジションもまた、温度とともに変動する。
【０００５】
したがって、周波数が温度に依存しないだけでなく、周波数スペクトルが、限られた数だけのラインを固定されたポジションに有し、しかもそのポジションも温度に依存しない信号が必要となる場合には、上記文献に開示されたデバイスを使用することができない。こういった特性を有する信号は、たとえばテレコミュニケーション・デバイスにおいて、アンテナによってピックアップされる高周波信号と当該デバイス内で生成される低周波信号の同期を行わなければならない場合に必要となる。
【０００６】
いわゆるＡＴ板水晶共振器を含む発振器が、温度の関数としてその周波数が非常に安定した信号を生成することはよく知られている。しかしながら、本来、この周波数は極めて高い。したがって、この種の発振器から比較的低い周波数を有する信号を供給するデバイスを作ることが望まれているとすれば、それに分周回路を関連づけさせる必要が生じ、それがデバイスをより複雑なものにするとともに、より高価なものとする。それに加えて、その種の分周回路は、それが受け取る信号の周波数が高いことから消費電力も極めて高く、そのことが寸法の小さい電子腕時計のバッテリ等を電源として電力供給を行わなければならない場合には重大な欠点となる。
【０００７】
このため本発明の１つの目的は、前述の特許に開示されたデバイスに等しいが、それらが有する上記の欠点を有していないデバイス、すなわち実質的に温度に依存しない周波数を有する出力信号を生成するだけでなく、ラインの数が限定されており、しかもそれらのラインのポジションもまた、実質的に温度に依存しないデバイスを提供することとする。
【０００８】
本発明の別の目的は、温度の関数としての周波数の変動が、ＡＴ板水晶共振器を含む発振器によって提供される信号の周波数の変動と同程度に低く、しかもそれよりもはるかに低い周波数を有する信号を供給するデバイスを提供することとする。
【０００９】
（発明の開示）
これらの目的は、付随する特許請求の範囲の請求項１に特徴を列挙した本発明に従ったデバイスによって達成される。
【００１０】
続いて明らかになろうが、これらの特徴の結果として、本発明に従ったデバイスによって供給される信号の周波数は、少なくとも実質的に温度に依存せず、温度が変化したときにも急峻なジャンプを呈することがない。したがって、この信号の周波数スペクトルは、わずかな数のラインを有し、それらのラインのポジションもまた、実質的に温度に依存しない。
【００１１】
さらに、これらの特徴の結果として、本発明に従ったデバイスによって供給される信号の周波数が、ＡＴ板水晶共振器を含む発振器によって提供される周波数よりもはるかに低くなる。したがって、多くの場合に、分周回路を使用して周波数を下げることを必要とせずに、本発明に従ったデバイスによって供給される信号を直接使用することが可能になり、それがデバイスの原価を下げるとともにその消費電力を下げることにもなる。さらにまた、分周回路が本発明に従ったデバイスに関連づけらる場合には、その使用にもかかわらずデバイスによって提供される信号の周波数が低いことから、その消費電力が低いものとなる。
【００１２】
本発明のそのほかの目的と利点については、添付図面を参照した以下の説明から明らかになるであろう。
【００１３】
（発明を実施するための最良の形態）
図１に略図的に、限定を意図しない例示として実施形態が示されている。本実施形態において全体を参照符号１として示している本発明によるデバイスは、以下に説明するように、少なくとも温度に依存しない周波数Ｆ１を有する周期的信号Ｓ１を参照符号Ｏによって指定される出力端子から出力する。
【００１４】
そのためデバイス１は、それぞれ２、３と参照符号が付けられた第１および第２のジェネレータ回路、および参照符号４のミキサ回路を含んでいる。
【００１５】
以下の説明を熟読した後であれば、周知の各種方法の１つもしくは別の方法を用いてジェネレータ２と３を作ることが当業者にとってはまったく容易なものとなろう。したがって、ジェネレータ２と３については、ここでの詳細な説明を行わない。
【００１６】
ここでは、ジェネレータ２と３が、それぞれの出力に周波数Ｆ２を有する信号Ｓ２と周波数Ｆ３を有する信号Ｓ３をそれぞれ提供するように構成されているとだけ述べておく。
【００１７】
したがって、ジェネレータ２と３それぞれは、従来知られていた、圧電共振器に結合された個別には示していない増幅器によって構成された発振器回路を含む。それらの特徴については以下に説明を述べる。
【００１８】
個々のケースに応じて、信号Ｓ２および／またはＳ３を、それぞれジェネレータ２または３の一部を構成する発振器によって直接提供することも可能であり、また、それぞれの発振器によって生成される信号を受け取り、信号Ｓ２またはＳ３を提供する分周回路によって提供することも可能である。
【００１９】
ジェネレータ２の一部を構成し、信号Ｓ２の周波数Ｆ２を決定する共振器が参照符号５で示されており、ジェネレータ３の一部を構成し、信号Ｓ３の周波数Ｆ３を決定する共振器が参照符号６で示されている。
【００２０】
本発明では、共振器５と共振器６はいずれも水晶音叉であるが、共振器５は、そのブランチが曲げモードで振動するように構成されており、それに対して共振器６は、そのブランチがねじれモードで振動するように構成されている。
【００２１】
さらに、この例において共振器５および６は、信号Ｓ２の周波数Ｆ２が信号Ｓ３の周波数Ｆ３より低くなるように構成されており、その結果、これらの周波数Ｆ２およびＦ３があらかじめ決められた比とされるが、その比の値についてはこれらの共振器５および６の特徴に加えて以下に明細に述べる。
【００２２】
デバイス１に含まれるミキサ回路４についても、当業者には周知の各種方法の１つもしくは別の方法を用いてまったく困難を伴うことなく作ることができよう。したがって、ここでは、このミキサ回路４の詳細な説明を行わない。
【００２３】
ここでは、ミキサ回路４が２つの入力を有し、その一方はジェネレータ２の出力に接続されて信号Ｓ２を受け取り、他方はジェネレータ３の出力に接続されて信号Ｓ３を受け取るという程度の説明にとどめておく。
【００２４】
さらに述べると、ミキサ回路４は、信号Ｓ３の周波数Ｆ３と信号Ｓ２の周波数Ｆ２の間の差に等しい周波数Ｆ４の信号Ｓ４を、その出力に提供するように構成されている。
【００２５】
図１に実線を用いて示されている実施形態においては、ミキサ回路４の出力が直接デバイス１の出力Ｏに接続されており、その結果、信号Ｓ１が信号Ｓ４によって構成され、当然のことながら周波数Ｆ１と周波数Ｆ４が完全に一致する。したがって、この場合のこの信号Ｓ１の周波数Ｆ１は、周波数Ｆ３とＦ２の間の差に等しくなる。
【００２６】
当業者であれば理解されようが、必要に応じて、周波数Ｆ１と異なる周波数を有する寄生成分が信号Ｓ１内に現れることを回避するためのフィルタをミキサ回路４内に含めることもできる。
【００２７】
当業者には周知のことであるが、上述の共振器５および６の構成は、結果的に、Ｔを用いて表わされる温度の関数としての周波数Ｆ２およびＦ３の変動は、当業者にとっては周知の２つの互いに類似した形を有する式によって与えられる。
【００２８】
周波数Ｆ２の変動は、温度Ｔの関数として次式によって与えられる。
【００２９】
Ｆ２（Ｔ）＝Ｆ２r（１＋α1（Ｔ−Ｔr）
＋β1（Ｔ−Ｔr）2＋γ1（Ｔ−Ｔr）3）      （１）
【００３０】
ここで：
‐  Ｔrは、２５℃と選択されることが多い基準温度であり；
‐  Ｆ２rは、温度Ｔrにおける信号Ｓ２の周波数であり；かつ
‐  α1、β1、γ1は、特に共振器５の幾何学的、機械的、および電気的特徴に依存する係数であり、それらの値は基準温度Ｔrに対して選択される。
【００３１】
同様に、周波数Ｆ３の変動は、温度Ｔの関数として次式によって与えられる。
【００３２】
Ｆ３（Ｔ）＝Ｆ３r（１＋α2（Ｔ−Ｔr）
＋β2（Ｔ−Ｔr）2＋γ2（Ｔ−Ｔr）3）      （２）
【００３３】
ここで：
‐  Ｔrは、式（１）に同一の基準温度であり；
‐  Ｆ３rは、温度Ｔrにおける信号Ｓ３の周波数であり；かつ
‐  α2、β2、γ2は、特に共振器６の幾何学的、機械的、および電気的特徴に依存する係数であり、それらの値は基準温度Ｔrに対して選択される。
【００３４】
２つの係数α1とα2、２つの係数β1とβ2、および２つの係数γ1とγ2は、一般にそれぞれ１次、２次、および３次の係数と呼ばれる。
【００３５】
以下の考察を単純にするために、ここではまず、３次の係数γ1とγ2の値が非常に小さいことを仮定する。実際にもそのとおりであり、その結果、これから先は、式（１）および式（２）にそれぞれ現れる項γ1（Ｔ−Ｔr）3およびγ2（Ｔ−Ｔr）3を無視することが可能になる。
【００３６】
このような条件の下に、式（１）および（２）は、それぞれ次に示すようになる。
【００３７】
Ｆ２（Ｔ）＝Ｆ２r（１＋α1（Ｔ−Ｔr）＋β1（Ｔ−Ｔr）2）      （３）
および、
Ｆ３（Ｔ）＝Ｆ３r（１＋α2（Ｔ−Ｔr）＋β2（Ｔ−Ｔr）2）      （４）
【００３８】
これらの式（３）および（４）は、これも上記条件下であるが、周波数Ｆ２およびＦ３が温度Ｔの関数として放物線状に変化することを示している。さらに、これらの式（３）および（４）は、温度Ｔが、それぞれ次の式によって示される値Ｔ01およびＴ02を有するとき、周波数Ｆ２およびＦ３が、それぞれ最大値Ｆ２0およびＦ３0を有することを示している。
【００３９】
Ｔ01＝Ｔr−α1／２β1      （５）
および、
Ｔ02＝Ｔr−α2／２β2      （６）
【００４０】
これらの温度Ｔ01およびＴ02は、一般的にそれぞれ共振器５および共振器６の反転温度と呼ばれている。
【００４１】
共振器５および６の特徴は、この後に明らかとなる理由から、一方においては周波数Ｆ２（Ｔ）が常に周波数Ｆ３（Ｔ）より低くなるように、他方においては、２次の係数β1が、２次の係数β2より高くなるように決定される。当業者であれば、共振器５が曲げモードで振動し、共振器６がねじれモードで振動することから、これらの条件をはじめ、この後に定義するそのほかの条件が容易に達成可能なことを理解されるであろう。
【００４２】
またここでは、この後に明らかとなる理由から、反転温度Ｔ01とＴ02が等しくなるように共振器５と６が決定されていることを前提とする。これらの条件の下に式（５）および（６）は、特に次のように表される。
【００４３】
α2＝α1β2／β1      （７）
【００４４】
さらにここでは、再びこの後に明らかになる理由から、２次の係数β1およびβ2の比が、基準温度Ｔrにおいて周波数Ｆ２（Ｔ）およびＦ３（Ｔ）が有する値Ｆ２rおよびＦ３rの比の逆数に等しくなるように共振器５と６が決定されていることも前提としており、言い換えると次式が成立することを仮定している。
【００４５】
β1／β2＝Ｆ３r／Ｆ２r
あるいは、
Ｆ２r＝Ｆ３rβ2／β1      （８）
【００４６】
すでに示したように、ミキサ回路４から提供される信号Ｓ１の周波数Ｆ１は、信号Ｓ３とＳ２それぞれの周波数Ｆ３とＦ２の間の差に等しい。したがって、式（３）および（４）によれば次式が得られる。
【００４７】
Ｆ１（Ｔ）＝（Ｆ３r−Ｆ２r）＋（Ｆ３rα2−Ｆ２rα1）（Ｔ−Ｔr）
＋（Ｆ３rβ2−Ｆ２rβ1）（Ｔ−Ｔr）2      （９）
【００４８】
式（９）の第２項および第３項のα2およびＦ２rを、式（７）および（８）によって与えられるそれぞれの値を用いて置き換えると、次の式が求まる。
【００４９】
Ｆ１（Ｔ）＝（Ｆ３r−Ｆ２r）
＋（Ｆ３rα1β2／β1−Ｆ３rα1β2／β1）（Ｔ−Ｔr）
＋（Ｆ３rβ2−Ｆ３rβ1β2／β1）（Ｔ−Ｔr）2
【００５０】
つまり、前述した条件の下においては、式（９）の項（Ｔ−Ｔr）および（Ｔ−Ｔr）2それぞれの乗数がゼロになることがわかる。その結果、式（９）が次に示すように簡略化される。
【００５１】
Ｆ１（Ｔ）＝Ｆ３r−Ｆ２r      （１０）
【００５２】
周波数Ｆ２rおよびＦ３rが温度Ｔに依存しないことから、同様に信号Ｓ１の周波数Ｆ１もそれに依存しない。
【００５３】
前述の式（１）と（２）のそれぞれの一部をなしている項γ1（Ｔ−Ｔr）3およびγ2（Ｔ−Ｔr）3の値は小さいが、それを考慮する場合においてもここで設定した条件が明らかに有効である。当業者であれば、その種のケースにおいては、温度Ｔの関数とする信号Ｓ１の周波数Ｆ１の変動が、次の式によって与えられることを容易に理解されよう。
【００５４】
Ｆ１（Ｔ）＝（Ｆ３r−Ｆ２r）
＋（Ｆ３rγ2−Ｆ２rγ1）（Ｔ−Ｔr）3      （１１）
【００５５】
この式（１１）は、温度Ｔrに変曲点を有する３次曲線の式である。
【００５６】
当業者であれば、式（１１）の最後の項がきわめて低い値を有し、その結果、信号Ｓ１の周波数Ｆ１は、この項の影響にもかかわらず、実際上、温度Ｔに依存しなくなることを容易に理解されるであろう。
【００５７】
しかしながら、式（１１）は、前述した条件が厳密に達成されるとき、すなわち反転温度Ｔ01およびＴ02が互いに等しく、かつ２次の係数β1とβ2の比が周波数Ｆ２rとＦ３rの比の逆数に等しい場合に限って信号Ｓ１の周波数Ｆ１の変動を温度Ｔの関数として表していることは明らかである。
【００５８】
当業者においては、共振器５および６が大規模に製造される場合に、一般にこれらの条件の達成が可能でないことを熟知している。当然のことではあるが、これらの条件を満たすために、これらの共振器の製造間に、それぞれの特徴の関数として共振器のソーティングを行い、それらを整合させるといった、特別な方法を採用することは可能である。しかしながらこの種の方法は、明らかにこれらの共振器の原価を増加させ、したがってそれらを使用するデバイスのコストを増加させることになる。
【００５９】
しかしながら、出願人は、デバイス１等のデバイスが、それぞれの製造ラインから離れることから互いの整合が得られない共振器を使用して製造される場合であっても、このデバイスによって生成される信号Ｓ１の周波数Ｆ１における温度Ｔの関数としての変動が、曲げモードもしくはねじれモードにおいて振動する共振器を含む従来の発振器によって供給される信号のそれに比べて常にきわめて低いことを、テストを通じて分析的に決定し、かつ検証した。
【００６０】
そのため出願人は、たとえば信号Ｓ２およびＳ３の反転温度に１０℃の差があり、係数β1とβ2の比を、周波数Ｆ２rとＦ３rの比の逆数の＋／−１０％までしか近づけることができないような共振器を使用することによって本発明に従ったデバイスを作成した。
【００６１】
出願人は、このような極端な条件下であっても、−４０℃から＋８５℃までの温度範囲において、周波数Ｆ１の変動が常に＋／−１０ｐｐｍより小さくなることを確認した。
【００６２】
比較のために述べるが、従来の発振器によって提供される信号の周波数は、同じ温度範囲内において、共振器が曲げモードで振動しているときには概略０ないし−１６０ｐｐｍにわたって変動し、共振器がねじれモードで振動しているときには概略０ないし−５６ｐｐｍにわたって変動することが知られている。
【００６３】
ここで、いずれのケースにおいても信号Ｓ１の周波数Ｆ１が、温度Ｔが変化するとき、実質的にその３次曲線に従うことに注意が必要である。
【００６４】
その結果、信号Ｓ１の周波数Ｆ１における差は、温度Ｔが基準温度Ｔrより高いか、あるいはそれより低いかに応じて、それと逆の符号を有することになり、そのことが基準温度Ｔrに対して温度Ｔがいずれかの側に変化するときの、これらの差に関するほぼ完全な補償を自動的に保証することになる。
【００６５】
当業者であれば理解されようが、温度Ｔの関数となる周波数Ｆ１におけるこの変動は、ＡＴ板共振器を含む発振器によって提供される信号の周波数におけるそれに類似である。しかしながら同時に、後者の周波数が本質的に極めて高く、その種の発振器に分周器を関連づけすることが非常に頻繁に必要となることも当業者とっては周知のことであり、前述したようにその種の回路の存在に関係して各種の欠点がもたらされる。
【００６６】
しかしながら、本発明に従ったデバイスによって提供される信号の周波数が、２つの異なる信号の差、すなわち前述した例であれば信号Ｓ２およびＳ３の周波数における差に等しいことから、それを比較的低くし得ることが容易に理解できる。したがって、このデバイスに対する分周回路の関連づけが必要なくなることもしばしばであり、その種の回路の存在に関係した欠点が取り除かれる。また何らかの理由から本発明に従ったデバイスに対する分周回路の関連づけが必要になる場合であっても、それが受け取る信号の周波数が、ＡＴ板共振器を含む発振器の場合よりもはるかに低いことから、その消費電力もはるかに低くなる。
【００６７】
このように、本発明に従ったデバイスが、それが提供する信号に関して、欠点を伴わない場合のＡＴ板共振器を含む発振器に実質的に等しい、温度の関数とした周波数の安定性を有することを理解することができる。
【００６８】
また、温度が変化するとき、本発明に従ったデバイスによって提供される信号の周波数は、前述のスイス特許第ＣＨ  ６２６  ５００号およびＣＨ  ６３１  ３１５号に開示されているデバイスによって生成される信号の周波数とは異なり、急峻なジャンプを伴うことなく連続的に変化することも理解できるであろう。つまり、本発明に従ったデバイスによって提供される信号の周波数スペクトルは、有しているラインの数が少なく、それらのラインのポジションも実質的に温度に依存しない。
【００６９】
特にここで注意したいことは、好ましくは２次の係数β1とβ2および周波数の値Ｆ２rとＦ３rを整数の比において選択し、出力信号の干渉成分の除去と高い純度のスペクトルの獲得を可能にすることである。この結果は、たとえば、２次の係数β1が−０．０３８ｐｐｍ／℃といった値を実質的に有する曲げモードで振動する経験から得られた水晶音叉を使用して信号Ｓ２を生成し、２次の係数β2が−０．０１２６ｐｐｍ／℃といった値を実質的に有するねじれモードで振動する経験から得られた水晶音叉を使用して信号Ｓ３を生成することによって好適に達成される。その場合の比β1／β2の値は、実質的に３になる。
【００７０】
前述の式（８）を満たすために、周波数値Ｆ２rおよびＦ３rが、同等の比において選択され、したがって、たとえば１３１．０７２ｋＨｚおよび３９３．２１６ｋＨｚといった値が選択される。ここで気づかれようが、前述のように図１のミキサ回路４の出力に得られる信号Ｓ４の周波数が、この場合は実質的に２６２．１４４ｋＨｚに、すなわち一般的に時計応用において望ましいとされる周波数３２．７６８ｋＨｚの８倍の周波数に等しくなる。したがって、ミキサ回路４の出力に８分の１分周回路を接続し、好適に３２．７６８ｋＨｚの周波数を引き出すことができる。図１には、この種の分周回路の一例を、破線を用いて表し、参照符号７を割り当てている。
【００７１】
また、本発明に従ったデバイスが、前述のスイス特許第ＣＨ  ６２６  ５００号およびＣＨ  ６３１  ３１５号に開示されているデバイスとは異なり、生成される信号がパルス状になるように構成可能なだけでなく、その信号が正弦波状となるようにも構成可能であることに注意する必要がある。
【００７２】
本発明の範囲から逸脱することなく、本発明に従ったデバイスに多くの修正を加え得ることは明白である。
【００７３】
たとえば、図１のデバイスの共振器５および／または６等の共振器を、このデバイスが備えている音叉形状と異なる形状に、たとえば棒状にすることも可能であり、また水晶ではなく別の圧電材料からそれを作ることも可能である。さらに、これらの共振器を、別のモードで振動するように、たとえば伸縮モードで振動するように構成することもできる。しかしながらこれらの共振器は、その形状、その材料および／またはその振動モードがいかなるものであっても、それが一部をなすジェネレータによって生成される信号の、温度の関数として表した周波数の変動が、少なくとも実質的に放物線状になるものとしなければならないことは明らかである。
【００７４】
同様に、たとえば本発明に従ったデバイスが、すでに説明したようにミキサ回路とデバイスの出力の間、すなわち前述の例の場合であればミキサ回路４と出力Ｏの間に分周回路７を備えることができる。
【００７５】
本発明に従ったデバイスのこの変形においては、信号Ｓ１および信号Ｓ４が異なるものとなることは明らかである。さらに、デバイスの各種コンポーネント、特に信号Ｓ２およびＳ３を生成する回路は、信号Ｓ４の周波数Ｆ４が信号Ｓ１の周波数Ｆ１に分周回路７の分周係数を乗じた積に等しくなるように構成されなければならず、当然のことながらその係数は、１より大きい整数になる。この結果は、たとえば前述した数値の例に従って達成され、それにおいては、周波数値Ｆ２rおよびＦ３rの値が、それぞれ１３１．０７２ｋＨｚおよび３９３．２１６ｋＨｚに等しく選択されている。
【００７６】
ここで、前述した本発明に従ったデバイスの第１の実施形態において、信号Ｓ４が直接信号Ｓ１を構成していたことを思い出されたい。そのような場合には、信号Ｓ４の周波数Ｆ４が、周波数Ｆ１に値１を乗じた積に等しくなる。
【００７７】
概して、本発明に従ったデバイスの各種コンポーネントは、ミキサ回路によって生成される信号Ｓ４の周波数が、デバイスの出力信号Ｓ１の周波数に１より大きいか、それに等しい整数を乗じた積に等しくなるように構成されなければならないと言うことができる。
【００７８】
さらにここで、ミキサ回路の出力、すなわち図１のミキサ回路４と、本発明に従ったデバイスの出力の間における、図１の分周回路７のような分周回路の存在が、デバイスの出力から提供される信号に、温度の関数としての周波数変動を決してもたらさないことに注意する必要がある。このように、本発明に従ったデバイスは、ミキサ回路と出力の間に分周回路を有するか否かによらず、いずれにしても周知のデバイスについては同一の利点を有することになる。
【図面の簡単な説明】
【図１】  本発明に従ったデバイスの一実施態様およびその変形を示したブロック図であり、唯一の図面である。
【図１】
0004939714.tif 000002